(57)【要約】【課題】靴の使用者の足裏部に大きさを合わせることのできる靴底を有する靴を提供すること。【解決手段】靴底２に固定されたつま革１と、該靴底２の上部に着脱可能に挿入できる中底３と、を有し、靴底２は、一つ以上の変形部６Ａ等と、一つ以上のほぼ変形しない部分７Ａ等と、を有し、変形部６Ａ等は、靴底２の幅等を変化させることで靴底２を靴の使用者の足裏部の大きさに適合させることができ、靴が、靴底２を使用者の足の大きさに合うような好ましい変形状態に維持する手段１４等を含む靴において、当該手段は、剛体部材１４等で構成され、剛体部材１４等は、中底３が靴の中に挿入されている時に少なくとも変形部６Ａ等の一部と対応するような所定の位置で中底３に固定され、上記好ましい変形状態に靴底２を維持するような形状及び大きさで形成されていることを特徴とする。【選択図】図１
2008529648.tif 000002
【特許請求の範囲】
【請求項１】
靴底（２）に固定されたつま革（１）と、前記靴底の上部に着脱可能に挿入できる中底（３）と、を有し、前記靴底（２）は、少なくとも一つの変形部（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）と、少なくとも一つのほぼ変形しない非変形部分（７Ａ、Ｂ、Ｃ）と、を有し、前記変形部は、前記靴底の幅、長さ及び周の長さの少なくとも１つを少なくとも部分的に変化させることができ、それによって靴底を靴の使用者の足裏部の大きさに適合させることができ、前記靴底を使用者の足の大きさに合うような好ましい変形状態に維持する手段（１４；２４；３４）を含む靴において、
好ましい変形状態に靴底を維持する手段は、少なくとも１つの実質的に剛体の部材（１４；２３；３４）で構成され、該剛体部材は、中底（３）が靴の中に挿入されている時に該部材が少なくとも前記靴底の変形部（６Ａ,Ｂ；１６Ａ,Ｂ；２６Ａ,Ｂ；３６Ａ,Ｂ；４６Ａ,Ｂ；５６Ａ,Ｂ；６６Ａ,Ｂ；７６Ａ,Ｂ；８６Ａ,B；９６Ａ,Ｂ）の一部と対応するような所定の位置で前記中底に固定され、前記剛体部材は、前記好ましい変形状態に靴底を維持するような形状及び大きさで形成されていることを特徴とする靴。
【請求項２】
各靴のサイズ毎に、特定の靴の使用者のために該使用者の足裏部の大きさに最も適応して選択できるように、種々の大きさ及び／又は形状の剛体部材（１４；２４；３４）を含む複数の種々の中底（３）を含み、
該中底（３）が全て、同サイズの靴の中にその靴底（２）を変形させることなく挿入することができることを特徴とする請求項１に記載の靴。
【請求項３】
前記剛体部材（１４；２３；３４）が、板状体（１４Ａ）である請求項１に記載の靴。
【請求項４】
剛体部材（１４；２４；３４）が、つま革（１）を変形させるためにつま革の側部（１Ａ）に沿って延在する鍔部（１４Ｂ）まで伸張する平坦部分（１４Ａ）を有することを特徴とする請求項１に記載の靴。
【請求項５】
前記剛体部材（１４；２４；３４）と中底（３）が、一体に構成されたことを特徴とする請求項１に記載の靴。
【請求項６】
靴底（２）が、互いに結合される２つの部材、すなわち、地面に部分的に接触する下面（４Ａ）を有する中間部（４）と、地面と接触する複数の部材（５Ａ、Ｂ）を有する外部分（５）と、の組み合わせで構成されていることを特徴とする請求項１に記載の靴。
【請求項７】
靴底（２）の中間部（４）が、変形部（６Ａ、６Ｂ）と実質的に変形しない非変形部分（７Ａ、７Ｂ、７Ｃ）を有し、前記変形部（６Ａ、Ｂ）は、靴底の大きさを靴の使用者の足裏部の大きさに適用させるように少なくとも部分的に変形させることができることを特徴とする請求項６に記載の靴。
【請求項８】
変形部（６Ａ−Ｂ）が天然ゴム、合成ゴム、加硫ゴムや射出成型された熱可塑性樹脂であるのに対して、中間の靴底（２）の非変形部（７Ａ−Ｃ）が、革製であることを特徴とする請求項１に記載の靴。
【請求項９】
変形部（６Ａ―Ｂ）が、中間の鞴部（９）によって相互に連結された２つの同一平面上の突部（８）を有することを特徴とする請求項１に記載の靴。
【請求項１０】
突部（８Ａ）と全体の変形部（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）が、地面に接触する靴底の下部（５）と伴に一体に形成されることを特徴とする請求項９に記載の靴。
【請求項１１】
靴底部分（５）と変形部（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）が、同じ材料或いは、異なる材料で形成され、例えば、靴底部分（５）が変形部より密度が高い状態で地面と接触するように通常成型又は射出成型によって形成されることを特徴とする請求項１０に記載の靴。
【請求項１２】
突部（８Ａ）も、部分（５Ｂ）の下方に具備され、前記部分（５Ｂ）と伴に革製靴底（４）に固定されていることを特徴とする請求項９に記載の靴。
【請求項１３】
変形部（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）は、鞴部（９）を有し、その断面形状が、上方又は下方に向いたＵ字形又はＶ字形、２つの相互に傾いたＶ字形、鞴部の中央でより大きく構成され交互に配置された複数のＵにより示される形状、交互に配置された細長い同一形状のＵにより表される形状、非変形状態で端部が結合して収縮する複数のＵの形状、中央の幅の狭いＵと交互に並ぶ状態で幅の広いＵが連続して配置された形状、種々の大きさの傾いたＶが交互に連続的に配置された形状、横の部分より長い中央部分を有し非変形状態でＴ字形であり、変形状態でＵ字形となる部分の形状の何れかの形状であることを特徴とする請求項１に記載の靴。
【請求項１４】
変形部（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）の特定の横断形状の嵌合をより好適に行うために、前記変形部を嵌合する目的で靴底（４）に設けられた台１０の壁部が、非変形状態において鞴のそれぞれの壁部に対する橋台として作用するように上方部（１０Ａ）又は下方部（１０Ｂ）が相互に近づく傾斜した壁部を含むことを特徴とする請求項９に記載の靴。
【請求項１５】
橋台面（１０Ａ）が、鞴（９）の変形を促進するために、鞴（９）の各表面に接続されていないことを特徴とする請求項１４に記載の靴。
【請求項１６】
変形部の突部（８）が、非変形部（７Ａ−Ｃ）に具備され該突部（８）と同じ形状且つ同じ大きさを有する凹状台（１０）に嵌合されることにより、突部（８）と靴底の中間部（４）の上面（４Ｂ）とが実質的に同一平面上となることを特徴とする請求項９に記載の靴。
【請求項１７】
変形部（６Ａ−Ｂ）と非変形部（７Ａ−Ｃ）が、成形、接着或いは縫い付けによって変形部が非変形部に接合されることで強固に相互連結されていることを特徴とする請求項１に記載の靴。
【請求項１８】
変形部（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）は、連続した長形状を有することを特徴とする請求項１に記載の靴。
【請求項１９】
変形部（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）は、靴の長軸（Ｓ）に対して左右対称に配置されていることを特徴とする請求項１に記載の靴。
【請求項２０】
変形部（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）が、
靴底の部分において土踏まずの部分に位置するＵ字の端部（１３）から靴底の外縁に沿って足の前方部分に伸張するＵ字形状、
土踏まずの部分で靴底の縦軸Ｓを跨いで延在するやや弓形の形状、
靴底の外縁に沿って実質的に靴底の周と等しい閉じた形状、
足の前方の部分でソールの縦軸Ｓに対して左右対称に配置されソールのつま先と土踏まずの部分に終端（２６Ｃ）を有する２つの波形状、
上記軸（Ｓ）に跨る状態で土踏まずの部分に設けられる波形状、
靴底の縦軸Ｓに実質的に重なる状態でつま先の部分から踵の部分まで延在する長腕を有し、土踏まずの部分に設けられ軸（Ｓ）を跨いだ十字形状、
足の前方の部分で靴底の縦軸（Ｓ）について左右対称に配置され、靴底のつま先部分と土踏まずの部分で終了する端部を有した２つのＭが崩れた形状、
踵の部分に頂点が配置され且つその端部が土踏まずの部分で終了している長形状のＶ字形状、
縦軸（Ｓ）に重なった部分と、靴底の踵部分から土踏まずの部分に延在しこの土踏まずの部分で縦軸（Ｓ）に対して左右対称で且つ靴底の外周に沿ってつま先部分で再び合流するように分岐した部分を有する長形状、
靴底の縦軸（Ｓ）に平行な部分とそれに垂直な部分を有する格子形状、
靴底の土踏まず部分とつま先部分に位置する端部を有すると伴に足の前方部分で縦軸について左右対称に配置された２つの弓部を有する弓形状、
の中から選択される一つの形状で形成されることを特徴とする請求項１に記載の靴。
【請求項２１】
剛体挿入物（２４）が、十字形状であることを特徴とする請求項１に記載の靴。
【請求項２２】
剛体挿入物（２４Ｂ）が、長形状で靴底（２）の一端から他端、すなわち、踵からつま先まで伸長していることを特徴とする請求項１に記載の靴。
【請求項２３】
中底（３）が、剛体挿入物（１４）によって靴底（２）から起きた状態となることを防ぐために、剛体挿入物（１４、２４、３４）を靴底に着脱可能に固定する手段を有することを特徴とする請求項１に記載の靴。
【請求項２４】
固定手段が、剛性部材（１４）の下面から突出した状態で、靴底（４）に設けられた穴部を貫く歯（１９）を有し、靴底（２）の外部部材（５Ｂ）に設けられる台に係合されることを特徴とする請求項２３に記載の靴。
【請求項２５】
靴底（２）が、可塑性材料により全体として一体に形成されることを特徴とする請求項１に記載の靴。
【請求項２６】
請求項１の靴の靴底の大きさを特定の靴の使用者の足裏部の大きさに合わせる方法であって、
靴底の幅及び／又は長さ及び／又は周の長さを靴の使用者の足裏部の固有の大きさに合わせるために靴の靴底（２）の変形部（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）を少なくとも部分的に変形させる工程と、手段（１４；２４；３４）の提供によって靴底の変形を維持する工程と、を有し、
各々の靴に対して特定の使用者の足の大きさに最も適合する中底（３）を前記靴に挿入可能な複数の異なる中底（３）から選択し、そして、靴底（２）の前記変形部分（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）が、特定の選択された中底を靴の中に挿入することによって変形され、前記中底（３）が、所定の位置に設けられた少なくとも一つの実質的に剛体の部材（１４；２４；３４）を有し、前記中底が靴に挿入される時、前記剛体の部材は、少なくとも靴底（２）の変形部（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）の一部と一致するように配置され、靴底を靴の使用者の足裏部の大きさに適合するような変形状態に維持するための形状及び大きさに形成されることを特徴とする方法。
【発明の詳細な説明】
【技術分野】
【０００１】
本発明は、使用者の足裏部に合わせて大きさを調製できる靴底を有する靴及び、使用者の足裏部に合わせて上記靴の靴底の大きさを調節する方法に関し、各独立請求項に記載された特徴部分に従う。
【背景技術】
【０００２】
上述した種の靴、すなわち、靴の使用者の足裏部の固有の大きさに適合させることができる靴底を有する靴は、その製造について、直面し且つ過去の文献に記載された問題を有するとして長く知られている。
【０００３】
特許文献１には、靴底を伸長させることのできる変形材料で形成された挿入物を含む靴底と、靴底を所望の伸張された状態に維持するためのねじ部材とを有する靴について記載されている。
【０００４】
特許文献２には、靴底を異なった方向に変形させることができる挿入物及び／又は開口部を有し、その変形によって、靴の使用者の足裏部の固有の大きさに適合させることができる靴底が記載されており、また、当該文献には、靴底を好ましい変形状態に維持するための種々の手段、すなわち、紐を含む部材、ラック型の部材、ねじで挟むための部材等が記載されている。
【０００５】
上記問題を解決する同様の技術が特許文献３〜９にも記載されている。
【０００６】
これら全ての先行特許は、靴底を好ましい変形状態に維持するために靴の製造及び組み立てを煩雑なものとする機械的手段を使用するので、それを実行することが容易ではなく、摩滅しやすく、しかも壊れた場合には、一般的に靴全体を交換する必要がある。靴底を好ましい変形状態に維持する機械的手段の使用についてのもう一つの手段が、特許文献１０に記載されている。この文献では、靴底の本体内に具備され適当に形成されたシートに挿入されるＴ字形の剛体挿入物を用いている。
【０００７】
この手段にも、いくつかの欠点がある。第１の欠点のとして、挿入物を嵌合する靴底の台に設けられた各々の穴にスナップ係合（ｓｎａｐ−ｅｎｇａｇｅ）される突出部材の挿入物の存在により、靴底と挿入物による靴の変形が予め定まったいくつかの位置にしか行うことができない。
【０００８】
この先行特許で記載された技術は、剛体挿入物の縦軸に沿って働く張力や圧力は、結果として挿入物の位置を変化させ靴の形状を変化させるには、十分な大きさであるが、靴底を好ましい変形状態に安定的且つ長期的に維持することはできない。
【０００９】
【特許文献１】ＤＥ５９，３１７
【特許文献２】ＵＳ５，７９２，９１２
【特許文献３】ＵＳ６４１，６４２
【特許文献４】ＷＯ９６２８０５３
【特許文献５】ＵＳ２，４９７，１７５
【特許文献６】ＵＳ２，１１２，０５２
【特許文献７】ＵＳ２００２１７８６１７
【特許文献８】ＵＳ２００４２１１０９０
【特許文献９】ＵＳ３，５４１，７０８
【特許文献１０】ＵＳ６，２３７，２５５
【発明の開示】
【発明が解決しようとする課題】
【００１０】
本発明の目的は、靴の使用者の足裏部に大きさを合わせることのできる靴底を有する靴を提供することと、上述の欠点を克服し、特に、変形状態において形状を維持するために製造及び組み立てが容易で、靴底が使用者の足裏部の固有の大きさに最適の形態で適合するように靴底の変形を調整でき、その変形を助長又は減少させようとする圧力がかかっていても、時が経つにつれてその変形の維持を確実なものとなる手段を有する靴の靴底の大きさを調整する方法を提供することである。
【課題を解決するための手段】
【００１１】
これらの目的及びこの技術の当業者にとって明らかな他の目的は、独立請求項の特徴部分に従う靴及び方法によって達成される。
【００１２】
本発明は、限定されない例のために提供された添付の図面からより明白なものとなる。
【発明を実施するための最良の形態】
【００１３】
図１を参照すると、本発明の靴は、この技術の専門家にとって明らかなことであるが、例えば、縫い付け又は接着等の通常の方法で靴底２に固定された上部分すなわち、つま革１と、靴底２上でつま革の中に挿入される中底３を有している。このつま革は、上記目的のために適したどのような材料で作られても良く、特に、履物の分野で通常使用されているタイプの少なくとも部分的に弾性力を有する材料である。
【００１４】
利点として、そのつま革は、変形に伴って当該つま革の大きさ、特に、幅が変化しないように少なくとも多少の弾性を有する材料で形成された挿入物１Ｂを靴底に固定された下方の周の部分に近接した位置に有している。
【００１５】
例に示される靴底２は、相互に連結された２つの部分の組み合わせで構成される、すなわち、地面と部分的に接触する下面４Ａを有する中間部４と、地面と接触する複数の部材を有し、踵５Ａと鋲５Ｂとして機能する外部分５の２つの部分である。この外部分は、当技術分野の専門家にとって周知のものであり、例えば、踵部分や足の前方の部分等の異なった多くの部分で形成され、この外部分は、地面上での足の載置の衝撃を弱めるように作用する。
【００１６】
図１を参照すると、靴底２の中間部４は、いくつかの部分を含んでいる。すなわち、変形部６Ａ、６Ｂと実質的な非変形部７Ａ、Ｂ、Ｃである。当該変形部６Ａ、Ｂの変形により、少なくとも部分的に靴底の大きさを変化させることができ且つ、その靴底の大きさを靴の使用者の足裏部の大きさに合わせることができる。
【００１７】
本明細書において、変形及び非変形材料の定義は、変形材料を変形させる力と同等の力にさらされた時に、ある材料が変形しなければ非変形であるという意味で理解されることに注目すべきである。
【００１８】
好ましい実施の形態によれば、変形部６Ａ−Ｂがその目的を果たすために塑性樹脂材料、例えば、エラストマー、特に、自然ゴム、合成ゴム、加硫ゴムや射出成型された熱可塑性樹脂で形成される一方、中間靴底４の非変形部７Ａ−Ｃは、革で形成されている。
【００１９】
変形部６Ａ−Ｂが、図４Ａ−Ｍに示される種々の外形をとることができる中間の鞴部９によって相互に接続された同一平面上の突部８を有する（４Ａ−Ｍ）ことが好ましい。いくつかの実施態様（４Ａ−Ｇ）において変形部の突部８は、当該突部８と同じ形状及び大きさを有し非変形部７Ａ−Ｃ内に設けられている凹台１０に嵌合されることで、突部８と靴底の中間部４の上面４Ｂが実質的に同一平面上に位置される。この変形部６Ａ−Ｂと非変形部７Ａ―Ｃは、好ましくは、変形部６Ａ−Ｂを非変形部７Ａ−Ｃに成形、接着、縫い付け等の当該技術の専門化が用いる周知の方法で取り付けることで、相互に堅く結合されている。
【００２０】
他の実施態様（図４Ｈ−Ｍ）では、突部８と全ての変形部９が地面と接触する靴底の下部分５と共に統合されている。この場合、靴底部分５と変形部は、同じ材料か或いは、異なる材料で形成され、例えば、靴底部分５が部分４の材料より密度が高い状態で地面と接触するように通常成形又は射出成型によって形成される。その他に、突部８Ａを例えば、接着、縫いつけ、一体成形、射出成型等の良く知られた方法で革の靴底４に固定することもできる。なお、革靴底４は、前述の台１０と同一の台（図示せず）を当該台１０の下方に有している。その他に、その突部を部分５Ｂの下に設け、当該部分５Ｂと共に革靴底４に固定しても良い。
【００２１】
図４Ａ−Ｍに示すように、鞴部９は、例えば、図４Ａ、Ｂ、Ｍに示される上方又は下方に向いたＵ字形やＶ字形、図４Ａ、Ｂ、Ｍに示すように２つの相互に傾いたＶ字形（図４Ｃ）、鞴の中央でより大きく構成され交互に配置された複数のＵにより示される形状、交互に配置された細長い同一形状のＵにより表される形状（図４Ｄ）、長く幅が狭い同一形状の複数のＵを連続に配置してなる形状（図４Ｅ）、非変形状態で端部が結合して収縮する複数のＵの形状（図４Ｌ）、中央の幅の狭いＵと交互に並ぶ状態で幅の広いＵが連続して配置された形状（図４Ｆ）、種々の大きさの傾いたＶが交互に連続的に配置された形状、横側の部分よりも長い中央部分を有し、非変形状態でＴ字形であり、変形状態でＵ字形である部分（図４Ｈ、Ｉ）の形状等の種々の形状をとることができる。
【００２２】
変形部の特定形状の嵌合をより好適に行うために、上記変形部を嵌合する目的で靴底４に設けられた台１０の壁部が、非変形状態において鞴部の各々の壁部に対する橋台として作用するように上方部１０Ａ（図４Ｃ）又は下方部１０Ｂ（図４Ｄ）が相互に近づく傾斜した壁部を含む。有利なことに、これら橋台の表面が相互に接続されていないので、鞴部の変形を容易なものとすることができる。傾斜した壁部１０Ｂを下方で近づける場合、地面と接触する鞴の面を制限する一方で、相対的に大きな鞴部を嵌合することができる。
【００２３】
鞴形状の変形部の方が、平坦な変形部よりも好ましい。すなわち、鞴形状の変形部は、例えば、長方形のような連続した閉じた断面形状の部分を有しており、この点において、その鞴形状のため上記変形部を広げるために要求される力が、変形部が平坦である場合に働く力よりも小さい。従って、変形部が破壊される危険或いは、変形のための張力にさらされた場合に非変形部から離脱する危険もより少ない。
【００２４】
変形部が連続した長形状を有し靴底の縦軸Ｓについて左右対称に配置されるということも利点である。それは、当該配置と形状により、変形部の抵抗の更なる向上及びより一様な靴底の変形を確実なものとするからである。なお、これは、変形鞴部の端部１３が靴底の側端で開口している靴に限られる。
【００２５】
上述の変形部は、種々の横断した形状に加えて、長手方向に延在する長さや又は形状及び当該変形部の位置を種々変更することができる。
【００２６】
図１は、靴底の部分において土踏まずの部分に位置するＵ字の端部１３から靴底の外縁に沿って足の前方部分に伸張するＵ字形状を有する第１変形部６Ａと、土踏まずの部分で靴底の縦軸Ｓを跨いで延在するやや弓形の第２変形部６Ｂを示している。第１変形部６Ａは、第２変形部が靴底の伸長を許容する一方、周の変形、すなわち、靴底の前部分の広がりを許容する。
【００２７】
図２Ａは、靴底の外縁に沿って実質的に靴底の周と等しい閉じた形状を有し靴底の外端に配置される第１変形部１６Ａを示している。この形状により、靴底のあらゆる部分を広げることができる。この拡張をより好適なものとするために、図２Ａの第１閉部分１６Ａと同じものでその内部に設けられる第２部分を付加しても良い。
【００２８】
図２Ｂは、足の前方の部分において靴底の縦軸Ｓに対して左右対称に配置され、靴底のつま先部分及び土踏まずの部分での終端である端部２６Ｃを有する一対の変形部２６Ａと、上記軸に跨った状態で土踏まず部分に設けられ波状に配置された第２部分２６Ｂを示している。
【００２９】
図２Ｃは、靴底の縦軸Ｓに実質的に重なる状態でつま先の部分から踵の部分まで延在する第１変形部３６Ａと、縦軸に跨り土踏まずの部分に設けられた第２部分３６Ｂを示す。
【００３０】
図２Ｄは、足の前方の部分で靴底の縦軸Ｓについて左右対称で、靴底のつま先部分と土踏まずの部分で終了する端部４６Ｃを有し延在する崩れたＭの形状である一対の変形部分４６Ａと、踵部分に頂点が配置され且つその端部が土踏の部分で終了している第２長Ｖ字形部分４６Ｂを示している。
【００３１】
図２Ｅは、図１に示される部分６Ａに一致する唯一の変形部５６Ａを示している。
【００３２】
図２Ｆは、縦軸Ｓに重なった状態で踵部分から土踏まずの部分まで延在し、土踏まずの部分で縦軸Ｓに対して対称で、靴底の外周に沿うことで当該靴底の踵部分で再び合流するように分割され延在する弓型腕部６６Ｂを有する変形部６６Ａを示している。
【００３３】
図２Ｇは、図２Ａの部分１６Ａに実質的に一致する第１部分７６Ａと、部分７６Ａに接続されている以外は実質的に図１の部分６Ｂと同一の中央部７６Ｂを示している。
【００３４】
図２Ｈは、靴底の縦軸に平行及び垂直である格子を形成する複数の変形部８６Ａ、Ｂを示している。
【００３５】
図３Ａ、３Ｂは、土踏まずとつま先部分にある端部１３と共に、足の前方部分で靴底の縦軸について左右対称に配置された弓形の変形部分９６Ａを示している。
【００３６】
靴を変形させるために、力Ｆ（図３Ｂ）が、靴底の周を広げる及び又は伸ばす又は縮めるために、実質的に靴と垂直な方向に作用する必要がある。すなわち、変形部の厚さは、例えば、図３Ａ、３Ｂに示されるように、Ｆ１からＦ２（図３Ａ、Ｂ）程度である。本発明に従う変形によれば、幅又は長さにおいて１〜１０ｍｍである。
【００３７】
本発明の靴底を希望する変形状態に維持するために、靴の中底３は、１つ又は２以上の適当な大きさの堅い挿入物１４を有する。これら挿入物は、靴底を包む平坦部１４Ａと、その平坦部１４からつま革の側面に沿って延びる側面部１４ｂを有することが好ましい。その平坦部１４Ａは、開口部Ｃによって格子形状を呈し、挿入物１４は、例えば、剛性が高いという類似の性質を備えた金属や可塑性等の変形しない剛体の材料で形成されることが好ましい。その挿入物は、好ましくは、接着、射出成形、一体成形により中底３の下面に堅く固定される。
【００３８】
図１に示される挿入物によって、中底３を靴に挿入することで２種類の効果が得られる。靴底４の足の前の部分は、剛体挿入物１４の存在によって、挿入物の幅Ｌ２と等しい幅である幅Ｌ１を維持するように変形する。
【００３９】
靴底の部分の変形に依存して、より大きい又は小さいサイズで且つ適当な形状を有する挿入物が使用される。例えば、図２Ｃにおいて破線で示された十字形挿入物２４によって、足の前方の領域において長さと幅の両方を変化させるように靴底の変形を行うことができ、当該変形が維持される。
【００４０】
仮に、腕部２４Ａを除去し、腕部２４Ｂのみを残すと、長さを変化させる変形のみが可能である。図２Ｄの破線で示され符号３４が付される挿入物によって、踵の領域のみ幅を変化させるような変形を行うことができる。
【００４１】
中底３が剛体挿入物１４によって靴底２から起き上がることを防止するために、その挿入物１４は、当該挿入物１４を靴底から取外し可能な状態で固定する手段１８を有する。このため、その挿入物１４は、例えば、その下面から突出して外部に取り付けられ靴底４に設けられた孔２０を貫通し靴底の外側部分の部材５Ｂ（矢印Ａで示される）に設けられたねじ孔５Ｃに螺合するねじ１９を有している。
【００４２】
本発明によれば、当該発明の靴のそれぞれのサイズに対して、購入者は、それぞれ種々の剛体挿入物を有する複数の異なった中底を利用することができる。例えば、仮に、購入者が、サイズ８の靴を購入した場合、幅が広い、普通或いは幅が狭い等の足裏部に合った種々の剛体挿入物を用いなければ多くの中底が、サイズ８の靴に関して全て使い古されるであろう。
【００４３】
購入者の足に最も合う中底が選ばれた後に、中底が靴に挿入され、当該中底に剛体挿入物が取付けられているため、靴底が変形して、中底の大きさに適合し靴の使用中は当該変形が維持される。
【００４４】
従って、本発明により、同じサイズの靴に対して、購入者は、靴底のすべて或いは、特定部分のみを靴のサイズの±0.5の範囲内で適応させることができる。
【００４５】
注目すべきは、剛体挿入物１４の鍔部１４Ｂ（図１）により、つま革１の形状や大きさを少なくとも部分的に修正することができ、そして、特に、その鍔部１４Ｂの部分や挿入物１Ｂは、少なくとも部分的に弾性のある部材で構成される点である。この点において、中底３を挿入する際に、個人に合わせた靴底の伸張だけでなく、つま革の伸張も、上記鍔部１４Ｂにより達成される。
【００４６】
最後に、本発明は、一つの例によってのみ記載されており、本発明の概念の中において多数の変更が可能であることに注目すべきである。例えば、実質的に非変形の革部７Ａ−Ｃを可塑性部材に替え、靴底２を可塑性を有する物質で一体的に形成しても良い。また、部材５Ａ−５Ｂと上記部分７Ａ−Ｃに統合された変形部６Ａ−６Ｂを、例えば、通常成形及び／又は射出成形で形成しても良い。
【図面の簡単な説明】
【００４７】
【図１】本発明にかかる第１の靴の具体例の展開斜視図である。
【図２Ａ】上方から見た靴底の形態を示す図である。
【図２Ｂ】上方から見た靴底の形態を示す図である。
【図２Ｃ】上方から見た靴底の形態を示す図である。
【図２Ｄ】上方から見た靴底の形態を示す図である。
【図２Ｅ】上方から見た靴底の形態を示す図である。
【図２Ｆ】上方から見た靴底の形態を示す図である。
【図２Ｇ】上方から見た靴底の形態を示す図である。
【図２Ｈ】上方から見た靴底の形態を示す図である。
【図３Ａ】非変形状態及び変形状態において上方から見た更なる靴底の形態を示す図である。
【図３Ｂ】非変形状態及び変形状態において上方から見た更なる靴底の形態を示す図である。
【図４Ａ】変形する靴底の要素を図１の線４−４で切った概略断面図である。
【図４Ｂ】変形する靴底の要素を図１の線４−４で切った概略断面図である。
【図４Ｃ】変形する靴底の要素を図１の線４−４で切った概略断面図である。
【図４Ｄ】変形する靴底の要素を図１の線４−４で切った概略断面図である。
【図４Ｅ】変形する靴底の要素を図１の線４−４で切った概略断面図である。
【図４Ｆ】変形する靴底の要素を図１の線４−４で切った概略断面図である。
【図４Ｇ】変形する靴底の要素を図１の線４−４で切った概略断面図である。
【図４Ｈ】変形する靴底の要素を図１の線４−４で切った概略断面図である。
【図４Ｉ】変形する靴底の要素を図１の線４−４で切った概略断面図である。
【図４Ｌ】変形する靴底の要素を図１の線４−４で切った概略断面図である。
【図４Ｍ】変形する靴底の要素を図１の線４−４で切った概略断面図である。
【符号の説明】
【００４８】
１      つま革
２      靴底
３      中底
４      中間部
５      外部分
６Ａ、Ｂ      変形部分
７Ａ、７Ｂ、７Ｃ      非変形部分
８      突部
９      鞴
１０    台
１４    剛体部材
１６Ａ  変形部
１９    歯
【図１】
2008529648.tif 000003
【図２Ａ】
2008529648.tif 000004
【図２Ｂ】
2008529648.tif 000005
【図２Ｃ】
2008529648.tif 000006
【図２Ｄ】
2008529648.tif 000007
【図２Ｅ】
2008529648.tif 000008
【図２Ｆ】
2008529648.tif 000009
【図２Ｇ】
2008529648.tif 000010
【図２Ｈ】
2008529648.tif 000011
【図３Ａ】
2008529648.tif 000012
【図３Ｂ】
2008529648.tif 000013
【図４Ａ】
2008529648.tif 000014
【図４Ｂ】
2008529648.tif 000015
【図４Ｃ】
2008529648.tif 000016
【図４Ｄ】
2008529648.tif 000017
【図４Ｅ】
2008529648.tif 000018
【図４Ｆ】
2008529648.tif 000019
【図４Ｇ】
2008529648.tif 000020
【図４Ｈ】
2008529648.tif 000021
【図４Ｉ】
2008529648.tif 000022
【図４Ｌ】
2008529648.tif 000023
【図４Ｍ】
2008529648.tif 000024
【手続補正書】
【提出日】平成20年1月9日(2008.1.9)
【手続補正１】
【補正対象書類名】特許請求の範囲
【補正対象項目名】請求項２０
【補正方法】変更
【補正の内容】
【請求項２０】
変形部（６Ａ、Ｂ；１６Ａ、Ｂ；２６Ａ、Ｂ；３６Ａ、Ｂ；４６Ａ、Ｂ；５６Ａ、Ｂ；６６Ａ、Ｂ；７６Ａ、Ｂ；８６Ａ、Ｂ；９６Ａ、Ｂ）が、
靴底の部分において土踏まずの部分に位置するＵ字の端部（１３）から靴底の外縁に沿って足の前方部分に伸張するＵ字形状、
土踏まずの部分で靴底の縦軸Ｓを跨いで延在するやや弓形の形状、
靴底の外縁に沿って実質的に靴底の周と等しい閉じた形状、
足の前方の部分で靴底の縦軸Ｓに対して左右対称に配置され靴底のつま先と土踏まずの部分に終端（２６Ｃ）を有する２つの波形状、
上記軸（Ｓ）に跨る状態で土踏まずの部分に設けられる波形状、
靴底の縦軸Ｓに実質的に重なる状態でつま先の部分から踵の部分まで延在する長腕を有し、土踏まずの部分に設けられ軸（Ｓ）を跨いだ十字形状、
足の前方の部分で靴底の縦軸（Ｓ）について左右対称に配置され、靴底のつま先部分と土踏まずの部分で終了する端部を有した２つのＭが崩れた形状、
踵の部分に頂点が配置され且つその端部が土踏まずの部分で終了している長形状のＶ字形状、
縦軸（Ｓ）に重なった部分と、靴底の踵部分から土踏まずの部分に延在しこの土踏まずの部分で縦軸（Ｓ）に対して左右対称で且つ靴底の外周に沿ってつま先部分で再び合流するように分岐した部分を有する長形状、
靴底の縦軸（Ｓ）に平行な部分とそれに垂直な部分を有する格子形状、
靴底の土踏まず部分とつま先部分に位置する端部を有すると伴に足の前方部分で縦軸について左右対称に配置された２つの弓部を有する弓形状、
の中から選択される一つの形状で形成されることを特徴とする請求項１に記載の靴。
【国際調査報告】
2008529648.tif 000025
2008529648.tif 000026